(57)【要約】【課題】会議の進行状況を確認できる機能を備えた、情報管理装置を提供することを目的とする。【解決手段】議事録管理装置（情報管理装置）において、電子黒板２のアイコン表示部２５が資料情報を表す資料情報アイコンを表示画面に表示し、会議の進行に合わせて、関連する複数の資料情報アイコンの選択をアイコン選択受付部２３が受付ける。そして関連資料情報生成部１３が選択された資料情報を表す関連資料情報を生成する。また関連資料情報生成部１３は互いに関連のある関連資料情報の識別情報をそれぞれの関連資料情報に記録する。【選択図】  図１
2004199592.tif 000002
【特許請求の範囲】
【請求項１】
資料情報を表す資料情報アイコンを表示部に表示する資料情報アイコン表示手段と、
前記表示部に表示した前記資料情報アイコンの選択を受付ける資料情報アイコン選択受付手段と、
前記選択を受付けた前記資料情報アイコンに対応する前記資料情報の識別情報を記録する第１の識別情報記録手段と、
前記選択を受付けた前記資料情報アイコンに対応する前記資料情報の全ての識別情報に関連づけられた関連資料情報アイコンを前記表示部に表示する関連資料情報アイコン表示手段と、
前記関連資料情報アイコンに関連する他の関連資料情報アイコンの選択を受付ける関連資料情報アイコン選択受付手段と、
選択を受付けた前記関連する他の関連資料情報アイコンの識別情報を記録する第２の識別情報記録手段と、
を備えることを特徴とする情報管理装置。
【請求項２】
前記表示部が表示画面上の指定された座標に筆跡を出力する電子黒板であり、
当該電子黒板が、
筆跡入力情報を受付ける筆跡入力情報受付手段と、
前記筆跡入力情報を表示する筆跡表示手段とを備え、
前記電子黒板の筆跡表示手段が表示した筆跡入力情報を前記資料情報として記憶する資料情報記憶手段と、
を備えることを特徴とする請求項１に記載の情報管理装置。
【請求項３】
前記筆跡入力情報受付手段が前記表示部における選択領域の指定を受付け、
前記資料情報アイコン受付手段が当該選択領域内の座標に表示される前記資料情報アイコンを選択されたものとして受付ける
ことを特徴とする請求項２に記載の情報管理装置。
【請求項４】
資料情報を表す資料情報アイコンを表示部に表示する資料情報アイコン表示過程と、
前記表示部に表示した前記資料情報アイコンの選択を受付ける資料情報アイコン選択受付け過程と、
前記選択を受付けた前記資料情報アイコンに対応する前記資料情報の識別情報を記録する第１の識別情報記録過程と、
前記選択を受付けた前記資料情報アイコンに対応する前記資料情報の全ての識別情報に関連づけられた関連資料情報アイコンを前記表示部に表示する関連資料情報アイコン表示過程と、
前記関連資料情報アイコンに関連する他の関連資料情報アイコンの選択を受付ける関連資料情報アイコン選択受付過程と、
選択を受付けた前記関連する他の関連資料情報アイコンの識別情報を記録する第２の識別情報記録過程と、
を備えることを特徴とする情報管理方法。
【請求項５】
情報管理装置のコンピュータに実行させるプログラムであって、
資料情報を表す資料情報アイコンを表示部に表示する資料情報アイコン表示過程と、
前記表示部に表示した前記資料情報アイコンの選択を受付ける資料情報アイコン選択受付け過程と、
前記選択を受付けた前記資料情報アイコンに対応する前記資料情報の識別情報を記録する第１の識別情報記録過程と、
前記選択を受付けた前記資料情報アイコンに対応する前記資料情報の全ての識別情報に関連づけられた関連資料情報アイコンを前記表示部に表示する関連資料情報アイコン表示過程と、
前記関連資料情報アイコンに関連する他の関連資料情報アイコンの選択を受付ける関連資料情報アイコン選択受付過程と、
選択を受付けた前記関連する他の関連資料情報アイコンの識別情報を記録する第２の識別情報記録過程と、
をコンピュータに実行させるプログラム。
【発明の詳細な説明】
【０００１】
【発明の属する技術分野】
この発明は、コンピュータシステムに係り、特に情報管理装置及び情報管理方法並びにそのプログラムに関するものである。
【０００２】
【従来の技術】
従来、企業などで会議を行なう際、会議用資料をプリントアウトしたり、会議出席者にメールなどで配信しなくても良いように、出席者が会議用資料を特定のサーバに送付して、当該サーバに記憶された会議用資料を会議場所に設置されている端末などを用いて参照することにより、会議の資料を各参加者が参照できるようにしている技術が存在する（例えば、特許文献１参照）。また、この技術においては当該会議用資料をサーバで管理している。
【０００３】
【特許文献１】
特開２００２−１３２８３７号公報
【０００４】
【発明が解決しようとする課題】
しかしながら、上述の方法により会議用資料を管理または参照する方法では、資料と資料の関連付けが行なわれていないために、会議後に当該会議用資料の内容を確認した時に、資料の内容から何が議論されたかが理解できても、どのようなプロセスにより会議が進行されたのかを判断することは困難である。
そこでこの発明は、会議の進行状況を確認できる機能を備えた、情報管理装置及び情報管理方法並びにそのプログラムを提供することを目的としている。
【０００５】
【課題を解決するための手段】
本発明は、上述の課題を解決すべくなされたもので、資料情報を表す資料情報アイコンを表示部に表示する資料情報アイコン表示手段と、前記表示部に表示した前記資料情報アイコンの選択を受付ける資料情報アイコン選択受付手段と、前記選択を受付けた前記資料情報アイコンに対応する前記資料情報の識別情報を記録する第１の識別情報記録手段と、前記選択を受付けた前記資料情報アイコンに対応する前記資料情報の全ての識別情報に関連づけられた関連資料情報アイコンを前記表示部に表示する関連資料情報アイコン表示手段と、前記関連資料情報アイコンに関連する他の関連資料情報アイコンの選択を受付ける関連資料情報アイコン選択受付手段と、選択を受付けた前記関連する他の関連資料情報アイコンの識別情報を記録する第２の識別情報記録手段とを備えることを特徴とする情報管理装置である。
【０００６】
上述の構成によれば、情報管理装置において、資料情報アイコン表示手段が資料情報を表す資料情報アイコンを表示部に表示し、資料情報アイコン選択受付手段が表示部に表示した資料情報アイコンの選択を受付ける。また、第１の識別情報記録手段が選択を受付けた資料情報アイコンに対応する資料情報の識別情報を記録し、関連資料情報アイコン表示手段が選択を受付けた資料情報アイコンに対応する資料情報の全ての識別情報に関連づけられた関連資料情報アイコンを表示部に表示する。そして、関連資料情報アイコン選択受付手段が関連資料情報アイコンに関連する他の関連資料情報アイコンの選択を受付け、第２の識別情報記録手段が選択を受付けた当該他の関連資料情報アイコンの識別情報を記録する。
これにより、複数の関連性のある資料情報を認識できる情報を関連資料情報に保持させておき、また関連資料情報と関連資料情報との間についても、関連性のある関連資料情報どうしの情報を保持させているので、例えば、会議などの多くの資料を用いる作業における記録情報を、進行状況がわかるように記録しておくことができる。
【０００７】
また、本発明は、前記情報管理装置において、前記表示部が表示画面上の指定された座標に筆跡を出力する電子黒板であり、当該電子黒板が、筆跡入力情報を受付ける筆跡入力情報受付手段と、前記筆跡入力情報を表示する筆跡表示手段とを備え、前記電子黒板の筆跡表示手段が表示した筆跡入力情報を前記資料情報として記憶する資料情報記憶手段とを備えることを特徴とする。
【０００８】
上述の構成によれば、情報管理装置は表示部として電子黒板を備え、当該電子黒板において、筆跡入力情報受付手段が筆跡入力情報を受付け、筆跡表示手段が筆跡入力情報を表示画面に表示する。また、情報管理措置において、資料情報記憶手段が電子黒板の筆跡表示手段が表示した筆跡入力情報を資料情報として記憶する。
これにより、会議などにおいて、電子黒板に書かれた情報を資料情報として記憶しておくことができる。
【０００９】
また、本発明は、上述の情報管理装置において筆跡入力情報受付手段が表示部における選択領域の指定を受付け、資料情報アイコン受付手段が当該選択領域内の座標に表示される資料情報アイコンを選択されたものとして受付けることを特徴とする。
これにより、ユーザは電子黒板の表示部において選択領域を指定するだけで当該選択領域内に位置する資料情報アイコンを容易に選択することができる。
【００１０】
また、本発明は、資料情報を表す資料情報アイコンを表示部に表示する資料情報アイコン表示過程と、前記表示部に表示した前記資料情報アイコンの選択を受付ける資料情報アイコン選択受付け過程と、前記選択を受付けた前記資料情報アイコンに対応する前記資料情報の識別情報を記録する第１の識別情報記録過程と、前記選択を受付けた前記資料情報アイコンに対応する前記資料情報の全ての識別情報に関連づけられた関連資料情報アイコンを前記表示部に表示する関連資料情報アイコン表示過程と、前記関連資料情報アイコンに関連する他の関連資料情報アイコンの選択を受付ける関連資料情報アイコン選択受付過程と、選択を受付けた前記関連する他の関連資料情報アイコンの識別情報を記録する第２の識別情報記録過程とを備えることを特徴とする情報管理方法である。
【００１１】
また、本発明は、情報管理装置のコンピュータに実行させるプログラムであって、資料情報を表す資料情報アイコンを表示部に表示する資料情報アイコン表示過程と、前記表示部に表示した前記資料情報アイコンの選択を受付ける資料情報アイコン選択受付け過程と、前記選択を受付けた前記資料情報アイコンに対応する前記資料情報の識別情報を記録する第１の識別情報記録過程と、前記選択を受付けた前記資料情報アイコンに対応する前記資料情報の全ての識別情報に関連づけられた関連資料情報アイコンを前記表示部に表示する関連資料情報アイコン表示過程と、前記関連資料情報アイコンに関連する他の関連資料情報アイコンの選択を受付ける関連資料情報アイコン選択受付過程と、選択を受付けた前記関連する他の関連資料情報アイコンの識別情報を記録する第２の識別情報記録過程と、をコンピュータに実行させるプログラムである。
【００１２】
【発明の実施の形態】
以下、本発明の一実施形態による議事録管理装置（情報管理装置）を図面を参照して説明する。
【００１３】
図１は、この発明の一実施形態による議事録管理装置の構成を示す概略ブロック図である。
この図において、符号１は制御端末である。また２は電子黒板である。そして議事録管理装置は制御端末１と電子黒板２とにより構成される。ここで制御端末１において、符号１１はネットワークを介して外部と各種情報を送受信するデータ送受信部である。また１２は会議進行担当者などのユーザからの操作に基づいて会議に用いる資料情報の資料情報記憶部への記録や電子黒板２への表示のための処理を行なう資料情報処理部である。また１３は関連する複数の資料情報などの情報を記録した関連資料情報を生成する関連資料情報生成部（第１の識別情報記録手段、第２の識別情報記録手段）である。また１４は会議で用いられる資料情報を記憶する資料情報記憶部である。
また電子黒板２において符号２１は電子黒板２の各処理部を制御する制御部２１である。また２２は電子黒板２の表示画面に入力された筆跡入力情報を受付ける筆跡入力情報受付部である。また２３は電子黒板２の表示画面上で選択されたアイコンを受付けるアイコン選択受付部（資料情報アイコン選択受付手段、関連資料情報アイコン選択受付手段）である。また２４は電子黒板２にユーザの筆跡を出力する筆跡表示部（筆跡表示手段）である。また２５は制御端末１の資料情報記憶部１４で記憶する資料情報などに対応するアイコンを表示するアイコン表示部（資料情報アイコン表示手段、関連資料情報アイコン表示手段）である。また２６は資料情報の内容を表示画面に表示する資料情報表示部である。
【００１４】
尚、電子黒板２は例えば、板状の液晶画面及び圧力センサにより構成される表示画面（表示部）を備えており、ユーザが表示画面にペンのペン先を圧着させると、当該ペン先が圧着した表示画面上の位置の座標を圧力センサが検出して筆跡表示部２４がその座標にユーザの筆跡を出力する装置である。これにより、ユーザは電子黒板２に文字や図柄を描くことができる。尚、上述の電子黒板２の例においては圧力センサが筆跡入力情受付部２２となる。
【００１５】
そして、例えば、会議などにおいてユーザが電子黒板２を用いて議事録などを作成する場合には、その議事録などの情報が資料情報として電子黒板２から制御端末１に送信される。また制御端末１はネットワークを介して接続された外部の端末から会議の資料となる資料情報を受信することができる。そして資料情報を受信した制御端末１は当該資料情報を資料情報記憶部１４に記録する。また、資料情報記憶部１４に記録された資料情報に対応する資料情報アイコンが制御端末１で生成されて、電子黒板２の表示画面に表示される。
【００１６】
尚、電子黒板２は、ユーザが電子黒板２において資料情報アイコンを選択することにより、後述する処理により当該資料情報アイコンに対応する資料情報の内容を表示画面に表示する。そしてユーザの電子黒板２からの操作に基づいて、制御端末１の関連資料情報生成部１３が、後述する処理により資料情報記憶部１４で記憶している各資料情報を会議の進行に合わせて関連づけた関連資料情報を生成する。尚この関連資料情報とは、関連がある各資料情報の識別情報などを記録した情報である。この関連資料情報によって、制御端末１に資料情報記憶部１４に記録されている資料情報を会議の進行に合わせて関連付けするので、後日関連資料情報を確認することで、会議の進行状況にあわせて関連した資料情報を把握することができる。
【００１７】
次に、議事録管理装置を用いて会議の進行に合わせて資料を作成する際の、制御端末１と電子黒板２における処理について説明する。
【００１８】
図２は議事録管理装置を用いた会議システムの構成を示す図である。この図より、議事録管理装置の制御端末１はネットワークを介して会議に参加する参加者の端末Ａ、Ｂ、Ｃと接続されている。また、会議室などの会議スペース外に存在する外部記憶装置や外部端末が会議システムのネットワークに接続されている。そして、参加者端末Ａ、Ｂ、Ｃや、外部記憶装置や外部端末には資料情報が記録されている。
【００１９】
図３は議事録管理装置における処理のフローを示す図である。
まず、会議に出席した参加者は参加者端末Ａ、Ｂ、Ｃに記録されている資料情報をネットワークを介して議事録管理装置へ送信する。また議事録管理装置を操作する会議進行担当者が、ネットワークを介して議事録管理装置に接続されている外部記憶装置や外部端末から資料情報を当該議事録管理装置に保存する。この時、議事録管理装置の制御端末１においてデータ送受信部１１が資料情報を受信して、資料情報処理部１２がデータ送受信部１１の受信した資料情報を資料情報記憶部１４に記録する（ステップＳ１）。
次に、資料情報処理部１２は資料情報記憶部１４に記録された資料情報に対応する資料情報アイコンを生成し、電子黒板２に送信する（ステップＳ２）。そして電子黒板２の制御部２１が資料情報アイコンの情報を受信してアイコン表示部２５に転送し、アイコン表示部２５が資料情報アイコンを表示画面に表示する（ステップＳ３）。
【００２０】
ここで、会議進行担当者が、電子黒板２に表示された資料情報アイコンをクリックすると、電子黒板２のアイコン選択受付部２３が選択された資料情報アイコンの情報を制御部２１に転送し、制御部２１が制御端末１の資料情報処理部１２に、選択された資料情報アイコンの情報を送信する。そして制御端末１の資料情報処理部１２は、受信した資料情報アイコンに対応する資料情報を資料情報記憶部１４から読み取って、電子黒板２へ送信する。これにより、電子黒板２の制御部２１は資料情報を資料情報表示部２６に転送し、資料情報表意部２６が資料情報の内容を表示画面に表示する。
【００２１】
そして、会議進行担当者は電子黒板２の表示画面に表示した資料情報を用いて、会議を進行させる。また、電子黒板２に議事録などの情報を書き込んで資料情報を作成する場合、会議進行担当者はペンを電子黒板２の表示画面に圧着させて文字を書く。この時、圧力センサなどの筆跡入力情報受付部２２がペンが圧着された表示画面の位置の座標を検出し、筆跡表示部２４がその座標に筆跡を出力する。尚、電子黒板２の表示画面において会議進行担当者が書いた文章などを表示した画面情報を、例えば表示画面に備えられた保存ボタンなどをペンで選択すると、制御部２１が当該画面情報を制御端末１に送信し、制御端末１は受信した画面情報を資料情報として資料情報記憶部１４に記録する。
【００２２】
次に会議進行担当者は、電子黒板２の表示画面に表示された資料情報アイコンのうち、会議の進行具合により関連性があると思われる資料情報アイコンを選択して保存ボタンをペンで選択する。そして電子黒板２のアイコン選択受付部２３が表示画面におけるペンのペン先の圧力を検出して保存ボタンが押されたことを検出し、当該資料情報アイコンの選択を受付ける（ステップＳ４）。すると制御部２１は表示画面に会議日時と会議名との入力を促す会議情報入力画面を表示する（ステップＳ５）。ここで、会議進行担当者が電子黒板２より会議日時や会議名を入力して、表示画面に表示されている「ＯＫ」ボタンをクリックすると、電子黒板２のアイコン選択受付部２３が「ＯＫ」ボタンがクリックされた旨を表す情報を制御部２１に通知し、制御部２１がステップＳ４で選択された資料情報アイコンの情報と、会議情報入力画面で受付けた情報とを制御端末１の資料情報処理部１２に送信する（ステップＳ６）。
【００２３】
次に、制御端末１の関連資料情報生成部１３は資料情報処理部１２が受信した資料情報アイコンの情報と、会議情報入力画面の情報の転送を資料情報処理部１２より受付けて、会議日時と、会議名と、選択された全ての資料情報アイコンに対応する資料情報の識別情報とを記録した関連資料情報Ａを生成する（ステップＳ７）。なお資料情報の識別情報とは、例えば、資料情報記憶部１４がディレクトリ構造になっている場合には、資料情報アイコンに対応する資料情報が記録されているディレクトリの位置と資料情報のファイル名を表す情報である。
【００２４】
次に、関連資料情報生成部１３は関連資料情報Ａに対応する関連資料情報アイコンＡを生成する（ステップＳ８）。そして関連資料情報生成部１３は、関連資料情報アイコンＡの情報を電子黒板２に送信し（ステップＳ９）、当該電子黒板２の制御部２１が関連資料情報アイコンＡの情報を受信してアイコン表示部２５に転送する。そしてアイコン表示部２５が関連資料情報アイコンＡを表示画面に表示する（ステップＳ１０）。これにより、会議進行担当者が会議の進行に合わせて作成された資料情報を会議の経緯毎にまとめて関連資料情報を作成する。そして、会議の進行に合わせて複数の関連資料情報を作成することにより、複数の関連資料情報アイコンが電子黒板２の表示画面に表示される。
【００２５】
ここで、会議進行担当者は、表示画面に表示された複数の関連資料情報アイコンのうち、関連性のある関連資料情報アイコンを選択する。ここで関連性があるとは、例えば、２つの関連資料情報アイコンに対応する資料情報の内容が、会議中の議論における続きの内容である場合等のことを言う。そして、会議進行担当者は、関連資料情報アイコンＢが関連資料情報アイコンＡに関連性があるという判断から関連資料情報アイコンＡと関連資料情報アイコンＢを選択する。そして、会議進行担当者が表示画面に表示されている「ＯＫ」ボタンをクリックすると、電子黒板２のアイコン選択受付部２３は選択された関連資料情報アイコンの情報を制御端末１に送信する（ステップＳ１１）。
【００２６】
次に、制御端末１の関連資料情報生成部１３は、電子黒板２から受信した関連資料情報アイコンＡ、Ｂの情報に基いて、各関連資料情報アイコンＡ、Ｂに対応する関連資料情報Ａ、Ｂを修正する（ステップＳ１２）。ここで関連資料情報生成部１３は関連資料情報Ａには関連資料情報Ｂの識別情報（関連資料情報Ｂのファイル名など）を記録し、また、関連資料情報Ｂには関連資料情報Ａの識別情報（関連資料情報Ａのファイル名など）を記録する。
これにより、関連資料情報には、会議日時、会議名などの会議情報と、関連する資料情報と、関連するたの関連資料情報が記録される。そして、制御端末１の関連資料情報生成部１３は電子黒板２の制御部２１に、関連資料情報アイコンＡと関連資料情報アイコンＢの間に線を繋げて、関連があることを表す様に表示するよう指示する情報を送信する（ステップＳ１３）。そして電子黒板２のアイコン表示部２５が関連資料情報アイコンＡと関連資料情報アイコンＢの間に線を引いて表示させる（ステップＳ１４）。
【００２７】
図４は電子黒板２の表示画面を示す第１の図である。この図は、複数の資料情報アイコンが表示画面に表示されている様子を示している。そして、会議進行担当者はペンで電子黒板２の表示画面に表示されている資料情報アイコンを選択する。尚、図４に示すように、選択する資料情報アイコンを囲むように会議進行担当者が表示画面に円（選択領域）を描くことで、筆跡入力情報受付部２２が当該円の軌跡の座標をアイコン選択受付部２３に転送し、アイコン選択受付部２３は表示画面に描かれた円の軌跡の内部に表示されている資料情報アイコンを特定して、選択を受付けるようにしても良い。これにより、会議進行担当者は電子黒板２の表示部において円を描くだけでその円内に位置する資料情報アイコンを容易に選択することができる。
【００２８】
また、図５は電子黒板２の表示画面を示す第２の図である。この図は、会議資料担当者が選択した資料情報アイコンに基づいて、関連資料情報アイコンが表示されたときの様子を示している。尚、図５においては関連資料情報アイコンがカプセルをイメージしたアイコンにより表示されている。
【００２９】
また、図６は電子黒板２の表示画面を示す第３の図である。この図は２つの関連資料情報アイコンが関連している時の様子を示す図である。また図７は電子黒板２の表示画面のイメージを示す第４の図である。この図は複数の関連資料情報アイコンが関連している時の様子を示す図である。このように、会議資料担当者は各関連資料情報アイコンが示す関連資料情報に他の関連資料情報アイコンを関連づけて記憶させることにより、後日、これらの関連資料情報アイコンの関連性を把握できるので、会議がどのようなプロセスの経緯により行なわれたのかを判断することが可能となる。
また、図８は関連資料情報のデータの例である。このデータはＸＭＬ（eXtensible Markup Language）により記述されている。そしてこのデータには会議名と会議日時などの会議情報を表す情報と、関連する複数の資料情報の記憶場所と、関連するたの関連資料情報を特定する情報が記録されている。
【００３０】
また、本実施形態においては、電子黒板２を資料情報アイコンや関連資料情報アイコンを表示させる装置として記載したが、電子黒板２ではなく、ＰＣ（Personal Computer）などに備えられたディスプレイであっても良い。そして各種アイコンがＰＣのディスプレイに表示される場合には、ＰＣに備えられたマウスやキーボードなどの入力装置を用いて、当該各種アイコンを選択する事により、上述の処理を制御端末１（ＰＣ内部に備えられる）で行なわれるようにしても良い。
【００３１】
尚、上述の議事録管理装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【図１】議事録管理装置の構成を示す概略ブロック図である。
【図２】議事録管理装置を用いた会議システムの構成を示す図である。
【図３】議事録管理装置における処理のフローを示す図である。
【図４】電子黒板２の表示画面を示す第１の図である。
【図５】電子黒板２の表示画面を示す第２の図である。
【図６】電子黒板２の表示画面を示す第３の図である。
【図７】電子黒板２の表示画面を示す第４の図である。
【図８】関連資料情報のデータの例である。
【符号の説明】
１  制御端末、２  電子黒板、１１  データ送受信部、１２  資料情報処理部、１３  関連資料情報生成部、１４  資料情報記憶部、２１  制御部、２２  筆跡入力情報受付部、２３  アイコン選択受付部、２４  筆跡表示部、２５  アイコン表示部、２６  資料情報表示部
【図１】
2004199592.tif 000003
【図２】
2004199592.tif 000004
【図３】
2004199592.tif 000005
【図４】
2004199592.tif 000006
【図５】
2004199592.tif 000007
【図６】
2004199592.tif 000008
【図７】
2004199592.tif 000009
【図８】
2004199592.tif 000010